(57)【要約】【課題】本発明の目的とするところは、ユーザの意図を反映して付加情報を表示することができるディスプレイ装置およびそれを用いた付加情報提供方法を提供することにある。【解決手段】ディスプレイ装置が開示される。本ディスプレイ装置は、コンテンツを受信する受信部と、前記受信されたコンテンツをディスプレイするディスプレイ部と、予め設定されたイベントに応じて前記コンテンツに対応する付加情報を受信するか否かを問い合わせるＵＩ（Ｕｓｅｒ  Ｉｎｔｅｒｆａｃｅ）をディスプレイし、前記ＵＩを通じて前記付加情報の受信拒否命令が入力されると、その後に提供される前記ＵＩの表示形態を変更してディスプレイするように制御する制御部とを含む。【選択図】図１
2013156636.tif 000002
【特許請求の範囲】
【請求項１】
ディスプレイ装置において、
コンテンツを受信する受信部と、
前記受信されたコンテンツをディスプレイするディスプレイ部と、
予め設定されたイベントに応じて前記コンテンツに対応する付加情報を受信するか否かを問い合わせるＵＩ（Ｕｓｅｒ  Ｉｎｔｅｒｆａｃｅ）をディスプレイし、前記ＵＩを通じて前記付加情報の受信拒否命令が入力されると、その後に提供される前記ＵＩの表示形態を変更してディスプレイするように制御する制御部と
を含むディスプレイ装置。
【請求項２】
サーバと通信を行い、前記コンテンツに対応する付加情報を受信する通信インターフェース部を更に含み、
前記制御部は、
前記ＵＩを通じて前記付加情報に対する受信命令が入力されると、前記付加情報を受信して前記ディスプレイ部にディスプレイすることを特徴とする請求項１に記載のディスプレイ装置。
【請求項３】
前記制御部は、
前記ＵＩを通じて前記付加情報の受信拒否命令が予め設定された回数分だけ入力されると、前記予め設定されたイベントが発生しても、前記ＵＩがディスプレイされないように制御することを特徴とする請求項１又は２に記載のディスプレイ装置。
【請求項４】
前記制御部は、
前記ＵＩを通じて前記付加情報の受信拒否命令が予め設定された回数分だけ入力されると、前記予め設定されたイベントに応じて、その後にディスプレイされる前記ＵＩの大きさを縮小したり前記ＵＩの透明度を増加させ、前記ディスプレイ部にディスプレイすることを特徴とする請求項１又は２に記載のディスプレイ装置。
【請求項５】
前記制御部は、
ユーザ命令に従って、前記付加情報を受信してディスプレイするチャネルを選択するためのチャネル選択ＵＩを前記ディスプレイ部にディスプレイすることを特徴とする請求項１から４のいずれか１項に記載のディスプレイ装置。
【請求項６】
前記制御部は、
前記チャネル選択ＵＩを通じて選択されたチャネルが提供するコンテンツに対して前記付加情報を受信するか否かを問い合わせるＵＩを前記ディスプレイ部にディスプレイすることを特徴とする請求項５に記載のディスプレイ装置。
【請求項７】
前記制御部は、
前記ＵＩを通じて前記付加情報の受信拒否命令が予め設定された回数分だけ入力されると、前記チャネル選択ＵＩを前記ディスプレイ部にディスプレイすることを特徴とする請求項１又は２に記載のディスプレイ装置。
【請求項８】
前記付加情報は、
前記コンテンツに対する詳細情報および前記コンテンツ関連の広告のいずれか一方を含むことを特徴とする請求項１から７いずれか１項に記載のディスプレイ装置。
【請求項９】
コンテンツをディスプレイするディスプレイ装置の付加情報提供方法において、
前記コンテンツを受信するステップと、
前記受信されたコンテンツをディスプレイするステップと、
予め設定されたイベントに応じて前記コンテンツに対応する付加情報を受信するか否かを問い合わせるＵＩ（Ｕｓｅｒ  Ｉｎｔｅｒｆａｃｅ）をディスプレイするステップと、
前記ＵＩを通じて前記付加情報の受信拒否命令が入力されると、その後に提供される前記ＵＩの表示形態を変更してディスプレイするステップと
を含む付加情報提供方法。
【請求項１０】
前記ＵＩを通じて前記付加情報に対する受信命令が入力されると、サーバから前記付加情報を受信してディスプレイするステップを更に含むことを特徴とする請求項９に記載の付加情報提供方法。
【請求項１１】
前記ＵＩの表示形態を変更してディスプレイするステップは、
前記ＵＩを通じて前記付加情報の受信拒否命令が予め設定された回数分だけ入力されると、前記予め設定されたイベントが発生しても、前記ＵＩがディスプレイされないことを特徴とする請求項９又は１０に記載の付加情報提供方法。
【請求項１２】
前記ＵＩの表示形態を変更してディスプレイするステップは、
前記ＵＩを通じて前記付加情報の受信拒否命令が予め設定された回数分だけ入力されると、前記予め設定されたイベントに応じて、その後にディスプレイされる前記ＵＩの大きさを縮小したり前記ＵＩの透明度を増加させ、ディスプレイすることを特徴とする請求項９又は１０に記載の付加情報提供方法。
【請求項１３】
ユーザ命令に従って、前記付加情報を受信してディスプレイするチャネルを選択するためのチャネル選択ＵＩをディスプレイするステップを更に含むことを特徴とする請求項９から１２のいずれか１項に記載の付加情報提供方法。
【請求項１４】
前記付加情報を受信するか否かを問い合わせるＵＩをディスプレイするステップは、
前記チャネル選択ＵＩを通じて選択されたチャネルが提供するコンテンツに対して前記付加情報を受信するか否かを問い合わせるＵＩをディスプレイすることを特徴とする請求項１３に記載の付加情報提供方法。
【請求項１５】
前記チャネル選択ＵＩをディスプレイするステップは、
前記ＵＩを通じて前記付加情報の受信拒否命令が予め設定された回数分だけ入力されると、前記チャネル選択ＵＩをディスプレイすることを特徴とする請求項９又は１０に記載の付加情報提供方法。
【発明の詳細な説明】
【技術分野】
【０００１】
本発明は、ディスプレイ装置およびそれを用いた付加情報提供方法に関し、より詳細には、コンテンツおよびそれに対応する付加情報をディスプレイするディスプレイ装置およびそれを用いた付加情報提供方法に関する。
【背景技術】
【０００２】
最近の電子技術の発展により、ユーザはコンテンツを視聴すると同時にコンテンツ関連の多様な情報、すなわち、コンテンツに出演している主人公の人物情報、小道具に対する商品情報等の提供を受けることができるようになった。
【０００３】
しかし、ＩＰ  ＴＶを除く従来のディスプレイ装置は、放送局等のようなコンテンツ提供業者からコンテンツおよびそれに関連する情報を受けて、このような方式の場合、一方向サービスであることで限界があった。
【０００４】
すなわち、コンテンツに関連する情報が存在すると、ユーザはコンテンツ提供業者から当該情報を一方的に提供を受けるしかなく、ユーザの意図によらずにコンテンツの視聴を妨害されるという問題が存在する。
【先行技術文献】
【特許文献】
【０００５】
【特許文献１】韓国特許出願公開第２００９−０００３４３８号公報
【発明の概要】
【発明が解決しようとする課題】
【０００６】
そこで、本発明は、上記問題に鑑みてなされたものであり、本発明の目的とするところは、ユーザの意図を反映して付加情報を表示することができるディスプレイ装置およびそれを用いた付加情報提供方法を提供することにある。
【課題を解決するための手段】
【０００７】
本発明の一実施形態に係るディスプレイ装置は、コンテンツを受信する受信部と、前記受信されたコンテンツをディスプレイするディスプレイ部と、予め設定されたイベントに応じて前記コンテンツに対応する付加情報を受信するか否かを問い合わせるＵＩ（Ｕｓｅｒ  Ｉｎｔｅｒｆａｃｅ）をディスプレイし、前記ＵＩを通じて前記付加情報の受信拒否命令が入力されると、その後に提供される前記ＵＩの表示形態を変更してディスプレイするように制御する制御部とを含む。
【０００８】
ここで、本実施形態に係るディスプレイ装置は、サーバと通信を行い、前記コンテンツに対応する付加情報を受信する通信インターフェース部を更に含み、前記制御部は、前記ＵＩを通じて前記付加情報に対する受信命令が入力されると、前記付加情報を受信して前記ディスプレイ部にディスプレイしてよい。
【０００９】
一方、前記制御部は、前記ＵＩを通じて前記付加情報の受信拒否命令が予め設定された回数分だけ入力されると、前記予め設定されたイベントが発生しても、前記ＵＩがディスプレイされないように制御してよい。
【００１０】
なお、前記制御部は、前記ＵＩを通じて前記付加情報の受信拒否命令が予め設定された回数分だけ入力されると、前記予め設定されたイベントに応じて、その後にディスプレイされる前記ＵＩの大きさを縮小したり前記ＵＩの透明度を増加させ、前記ディスプレイ部にディスプレイしてよい。
【００１１】
そして、前記制御部は、ユーザ命令に従って、前記付加情報を受信してディスプレイするチャネルを選択するためのチャネル選択ＵＩを前記ディスプレイ部にディスプレイしてよい。
【００１２】
ここで、前記制御部は、前記チャネル選択ＵＩを通じて選択されたチャネルが提供するコンテンツに対して前記付加情報を受信するか否かを問い合わせるＵＩを前記ディスプレイ部にディスプレイしてよい。
【００１３】
一方、前記制御部は、前記ＵＩを通じて前記付加情報の受信拒否命令が予め設定された回数分だけ入力されると、前記チャネル選択ＵＩを前記ディスプレイ部にディスプレイしてよい。
【００１４】
なお、前記付加情報は、前記コンテンツに対する詳細情報および前記コンテンツ関連の広告のいずれか一方を含んでよい。
【００１５】
一方、本発明の一実施形態に係るコンテンツをディスプレイするディスプレイ装置の付加情報提供方法は、前記コンテンツを受信するステップと、前記受信されたコンテンツをディスプレイするステップと、予め設定されたイベントに応じて前記コンテンツに対応する付加情報を受信するか否かを問い合わせるＵＩ（Ｕｓｅｒ  Ｉｎｔｅｒｆａｃｅ）をディスプレイするステップと、前記ＵＩを通じて前記付加情報の受信拒否命令が入力されると、その後に提供される前記ＵＩの表示形態を変更してディスプレイするステップとを含む。
【００１６】
ここで、本実施形態に係る付加情報提供方法は、前記ＵＩを通じて前記付加情報に対する受信命令が入力されると、サーバから前記付加情報を受信してディスプレイするステップを更に含む。
【００１７】
一方、前記ＵＩの表示形態を変更してディスプレイするステップは、前記ＵＩを通じて前記付加情報の受信拒否命令が予め設定された回数分だけ入力されると、前記予め設定されたイベントが発生しても、前記ＵＩがディスプレイされなくてもよい。
【００１８】
なお、前記ＵＩの表示形態を変更してディスプレイするステップは、前記ＵＩを通じて前記付加情報の受信拒否命令が予め設定された回数分だけ入力されると、前記予め設定されたイベントに応じて、その後にディスプレイされる前記ＵＩの大きさを縮小したり前記ＵＩの透明度を増加させ、ディスプレイしてよい。
【００１９】
そして、本実施形態に係る付加情報提供方法は、ユーザ命令に従って、前記付加情報を受信してディスプレイするチャネルを選択するためのチャネル選択ＵＩをディスプレイするステップを更に含んでよい。
【００２０】
ここで、前記付加情報を受信するか否かを問い合わせるＵＩをディスプレイステップは、前記チャネル選択ＵＩを通じて選択されたチャネルが提供するコンテンツに対して前記付加情報を受信するか否かを問い合わせるＵＩをディスプレイしてよい。
【００２１】
一方、前記チャネル選択ＵＩをディスプレイするステップは、前記ＵＩを通じて前記付加情報の受信拒否命令が予め設定された回数分だけ入力されると、前記チャネル選択ＵＩをディスプレイしてよい。
【００２２】
なお、前記付加情報は、前記コンテンツに対する詳細情報および前記コンテンツ関連の広告のいずれか一方を含んでよい。
【発明の効果】
【００２３】
以上説明したように、本発明によれば、ユーザの意図を反映して付加情報を表示することができるようになる。よって、不本意なユーザへの視聴妨害を軽減することができるようになる。
【図面の簡単な説明】
【００２４】
【図１】本発明の一実施形態に係る付加情報提供システムの構成を説明するための図である。
【図２】本発明の一実施形態に係るディスプレイ装置の構成を説明するためのブロック図である。
【図３】本発明の一実施形態に係るディスプレイ装置の細部構成を説明するための図である。
【図４】本発明の一実施形態に係るサーバの構成を説明するブロック図である。
【図５Ａ】本発明の一実施形態に係るディスプレイ装置から提供されるＵＩの一例を示す図である。
【図５Ｂ】本発明の一実施形態に係るディスプレイ装置から提供されるＵＩの一例を示す図である。
【図５Ｃ】本発明の一実施形態に係るディスプレイ装置から提供されるＵＩの一例を示す図である。
【図５Ｄ】本発明の一実施形態に係るディスプレイ装置から提供されるＵＩの一例を示す図である。
【図５Ｅ】本発明の一実施形態に係るディスプレイ装置から提供されるＵＩの一例を示す図である。
【図５Ｆ】本発明の一実施形態に係るディスプレイ装置から提供されるＵＩの一例を示す図である。
【図５Ｇ】本発明の一実施形態に係るディスプレイ装置から提供されるＵＩの一例を示す図である。
【図６】本発明の一実施形態に係る付加情報提供方法を説明するためのフローチャートである。
【発明を実施するための形態】
【００２５】
以下に添付図面を参照しながら、本発明の好適な実施形態について詳細に説明する。
【００２６】
図１は、本発明の一実施形態に係る付加情報提供システムの構成を説明するための図である。図１に示すように、付加情報提供システムは、ディスプレイ装置１００およびサーバ２００を含む形態で実現されてよく、これらはインターネット等のようなネットワークを通じて相互接続されてよい。
【００２７】
ディスプレイ装置１００は、地上波放送局またはケーブル放送局のようなコンテンツ制作会社やコンテンツ提供者からコンテンツを受信してディスプレイすることができる。そして、ディスプレイ装置１００は、インターネットを通じて接続されたサーバ２００からコンテンツに対する付加情報を受信することができる。ここで、付加情報は、コンテンツに対する詳細情報およびコンテンツ関連の広告のうち、少なくともいずれか一方を含む。
【００２８】
このような機能を具備するディスプレイ装置１００は、ＤＴＶであることが望ましい。しかし、それに限定されるものではなく、移動端末やデスクトップ、ラップトップパソコン等のように、コンテンツを受信してディスプレイし、ネットワークを通じてサーバ２００に接続されて付加情報を受信することができる装置なら、本発明の一実施形態に係るディスプレイ装置１００であってよい。
【００２９】
サーバ２００は、ディスプレイ装置１００でディスプレイされるコンテンツに対応する付加情報をディスプレイ装置１００に提供してよい。具体的には、サーバ２００は、ディスプレイ装置１００から受信される付加情報の伝送要求命令に従って、付加情報をディスプレイ装置１００に提供することができる。
【００３０】
サーバ２００は、付加情報そのものをダウンロードしたり、ストリーミング形態で付加情報を提供することができる。そのために、サーバ２００は地上波放送局またはケーブル放送局のようなコンテンツ制作会社、コンテンツ提供者またはコンテンツ提供とは別のサービス提供者等から提供された付加情報をデータベース化して保持することができる。ただ、場合によって、サーバ２００はコンテンツ制作会社、コンテンツ提供者またはサービス提供者等から付加情報を受けて、ディスプレイ装置１００に提供する中継サーバ形態で実現されることも可能である。
【００３１】
図２は、本発明の一実施形態に係るディスプレイ装置の構成を説明するためのブロック図である。図２に示すように、ディスプレイ装置１００は、受信部１１０と、ディスプレイ部１２０および制御部１３０を含む。
【００３２】
受信部１１０は、コンテンツを受信する。具体的には、受信部１１０は、放送ネットワークを用いて放送コンテンツを伝送する放送局またはインターネットを用いてコンテンツファイルを伝送するウェブサーバからコンテンツを受信する。なお、受信部１１０は、ディスプレイ装置１００内に設けられたり、ディスプレイ装置１００に接続された各種記録媒体装置からコンテンツを受信することもできる。記録媒体再生装置とは、ＣＤやＤＶＤ、ハードディスク、ブルーレイディスク、メモリカード、ＵＳＢメモ等のような多様な記録媒体に保存されたコンテンツを再生する装置を意味する。
【００３３】
放送局からコンテンツを受信する実施形態の場合には、受信部１１０は、チューナ（図示せず）と、復調器（図示せず）、等化器（図示せず）等のような構成を含む形態で実現可能である。一方、ウェブサーバのようなソースからコンテンツを受信する実施形態の場合には、受信部１１０は、ネットワークインターフェースカード（図示せず）で実現可能である。または、上述の各種記録媒体再生装置からコンテンツを受信する実施形態の場合には、受信部１１０は、記載媒体再生装置と接続されたインターフェース部（図示せず）で実現されてよい。
【００３４】
このように、受信部１１０は、実施形態によって多様な形態で実現され、放送コンテンツ、インターネットコンテンツ、ＶｏＤ（Ｖｉｄｅｏ  Ｏｎ  Ｄｅｍａｎｄ）コンテンツ等を受信することができる。
【００３５】
ディスプレイ部１２０は、受信されたコンテンツをディスプレイする。そのために、ディスプレイ部１２０は、液晶表示装置（Ｌｉｑｕｉｄ  Ｃｒｙｓｔａｌ  Ｄｉｓｐｌａｙ、ＬＣＤ）、有機電気発光ダイオード（Ｏｒｇａｎｉｃ  Ｌｉｇｈｔ  Ｅｍｉｔｔｉｎｇ  Ｄｉｓｐｌａｙ、ＯＬＥＤ）またはプラズマ表示パネル（Ｐｌａｓｍａ  Ｄｉｓｐｌａｙ  Ｐａｎｅｌ、ＰＤＰ）等の形態で実現されるディスプレイパネル（図示せず）およびディスプレイパネルを駆動するパネル駆動部（図示せず）を含んでよい。
【００３６】
なお、ディスプレイ部１２０は、ディスプレイ装置１００の動作を制御するための多様なＵＩ（Ｕｓｅｒ  Ｉｎｔｅｒｆａｃｅ）をディスプレイすることができる。特に、ディスプレイ部１２０は、コンテンツに対応する付加情報を受信するか否かを問い合わせるＵＩ、付加情報を受信してディスプレイするチャネルを選択するためのＵＩ等をディスプレイしてよい。
【００３７】
制御部１３０は、ディスプレイ装置１００の動作全般を制御する。特に、制御部１３０は、予め設定されたイベントに応じてコンテンツに対応する付加情報を受信するか否かを問い合わせるＵＩをディスプレイしてよい。
【００３８】
ここで、付加情報は、コンテンツに対応する詳細情報およびコンテンツ関連の広告のうち、少なくともいずれか一方を含んでよい。
【００３９】
具体的には、コンテンツに対する細部情報は、コンテンツに含まれたオブジェクトに対する各種情報であってよい。例えば、コンテンツが撮影された場所に対する情報、コンテンツに登場する人物に対する情報等を含んでよい。
【００４０】
なお、コンテンツ関連の広告は、コンテンツに含まれたオブジェクトに対する各種広告であってよい。例えば、コンテンツに登場する俳優が着用していた衣装またはアクセサリー等に対する商品広告、コンテンツに登場する食べ物に対する広告等を含んでよい。なお、当該商品のインターネット販売先のアドレス等も含まれてよい。
【００４１】
なお、予め設定されたイベントは、コンテンツがディスプレイされる途中、付加情報を含むオブジェクトがディスプレイされる時点、当該オブジェクトがディスプレイされた後に予め設定された時間が経過している時点、または、予め設定された時間周期等であってよいが、それに限定されるものではない。このとき、制御部１３０は、予め設定されたイベントが発生した時点に付加情報を受信するか否かを問い合わせるＵＩをポップアップ（ｐｏｐ−ｕｐ）の形態でディスプレイするように制御してよい。
【００４２】
一方、当該オブジェクトが付加情報を含むか否かに対する情報は、コンテンツに含まれていてよい。例えば、付加情報を含むオブジェクトに対する情報、仮に、付加情報を含むオブジェクトの名称、ディスプレイ時点等に対する情報がコンテンツに含まれていてよい。しかし、場合によっては、コンテンツを分析し、分析された結果をサーバ（図１の２００）に伝送し、当該オブジェクトが付加情報を含むか否かに対する情報をサーバ２００から受信してよい。
【００４３】
このように、制御部１３０は、コンテンツを構成するオブジェクトが付加情報を含む場合、コンテンツ（または、オブジェクト）に対応する付加情報を受信するか否かを問い合わせるＵＩを多様な時点でディスプレイするように制御してよい。
【００４４】
なお、制御部１３０は、ＵＩを通じて付加情報の受信拒否命令が入力されると、その後に提供されるＵＩの表示形態を変更してディスプレイするように制御してよい。
【００４５】
具体的には、制御部１３０は、ＵＩを通じて付加情報の受信拒否命令が予め設定された回数分だけ入力される、予め設定されたイベントが発生しても、ＵＩがディスプレイされないように制御してよい。すなわち、制御部１３０は、ＵＩを通じて入力される受信拒否命令に対する回数をカウントし、カウントされた回数が予め設定された回数に到達すると、予め設定されたイベントが発生しても、ＵＩがディスプレイされないように制御してよい。場合によって、制御部１３０は付加情報を受信するか否かを問い合わせるＵＩを一定時間の間だけディスプレイされないように制御してよい。
【００４６】
例えば、付加情報を含むオブジェクトがディスプレイされる時点でコンテンツに対応する付加情報を受信するか否かを問い合わせるＵＩがディスプレイされると仮定する。一つのコンテンツがディスプレイされる間、付加情報を含むオブジェクトは複数回ディスプレイされてよい。それにより、コンテンツに対応する付加情報を受信するか否かを問い合わせるＵＩは、付加情報を含むオブジェクトがディスプレイされる時点毎にディスプレイされてよい。この場合、制御部１３０は、ＵＩを通じて付加情報の受信拒否命令が予め設定された回数分だけ入力されると、付加情報を含むオブジェクトがディスプレイされても、付加情報を受信するか否かを問い合わせるＵＩがディスプレイされないように制御してよい。
【００４７】
一方、制御部１３０は、ＵＩを通じて付加情報の受信拒否命令が予め設定された回数分だけ入力されると、予め設定されたイベントに応じて、その後にディスプレイされるＵＩを大きさを縮小したりＵＩの透明度を増加させて、ディスプレイ部１２０にディスプレイしてよい。
【００４８】
上述の例において、ＵＩを通じて付加情報の受信拒否命令が予め設定された回数分だけ入力され、その後に付加情報を含むオブジェクトが再びディスプレイされる場合、制御部１３０は、付加情報を受信するか否かを問い合わせるＵＩの大きさを縮小したり透明度を増加させて、ディスプレイ部１２０にディスプレイしてよい。
【００４９】
場合によって、制御部１３０は大きさが縮小されたり透明度が増加したＵＩ上で付加情報の受信拒否命令が予め設定された回数分だけ再入力されると、予め設定されたイベントが発生しても、付加情報を受信するか否かを問い合わせるＵＩがディスプレイされないように制御してよい。
【００５０】
一方、制御部１３０は、ユーザ命令に従って、付加情報を受信してディスプレイするチャネルを選択するためのチャネル選択ＵＩをディスプレイしてよい。そして、制御部１３０は、チャネル選択ＵＩを通じて選択されたチャネルが提供するコンテンツに対して付加情報を受信するか否かを問い合わせるＵＩをディスプレイ部１２０にディスプレイしてよい。すなわち、制御部１３０は、チャネル選択ＵＩを通じて選択されたチャネルで提供するコンテンツのみに対して、当該コンテンツを構成するオブジェクトが付加情報を含むか否かを判断し、付加情報を受信するか否かを問い合わせるＵＩをディスプレイしてよい。
【００５１】
なお、制御部１３０は、ＵＩを通じて付加情報の受信拒否命令が予め設定された回数分だけ入力されると、チャネル選択ＵＩをディスプレイ部１２０にディスプレイすることができる。すなわち、制御部１３０は、ＵＩを通じて付加情報に対する受信拒否命令が予め設定された回数分だけ入力されると、チャネルで提供されるコンテンツがユーザに不要な付加情報を提供していると判断し、チャネル選択ＵＩを自動的にディスプレイしてよい。それにより、ユーザが別のチャネルを付加情報の提供を受けるためのチャネルに設定するように誘導することができる。
【００５２】
一方、上述の実施形態では、チャネル別に付加情報を受信するか否かを設定するものとして説明したが、それは一例に過ぎない。場合によって、番組別またはコンテンツ別に付加情報を受信するか否かを設定し、設定された番組別またはコンテンツ別に付加情報を受信するか否かを問い合わせるためのＵＩをディスプレイすることもできることは勿論である。
【００５３】
例えば、制御部１３０は、特定コンテンツを選択するためのコンテンツ選択ＵＩをディスプレイし、ユーザ命令に従って選択されたコンテンツに対してのみ付加情報を受信するか否かを問い合わせるＵＩがディスプレイされるように制御してよい。
【００５４】
一方、上述の実施形態において、付加情報の受信拒否命令が予め設定された回数分だけ入力されると、付加情報を受信するか否かを問い合わせるＵＩの表示形態を変更してディスプレイする動作について説明してきた。
【００５５】
ここで、制御部１３０は、受信拒否命令が予め設定された回数分だけ入力されているか否かを一つのコンテンツまたは複数のコンテンツ内で判断することができる。具体的には、制御部１３０が一つのコンテンツがディスプレイされる間、ＵＩを通じて入力される受信拒否命令に対する回数をカウントしたが、予め設定された回数に到達できていない場合を仮定する。この場合、制御部１３０は、カウントされた回数をリセットし、次のコンテンツでＵＩを通じて新たに入力される受信拒否命令に対する回数をカウントして、予め設定された回数に到達しているか否かを判断することができる。なお、制御部１３０は、一つのコンテンツでカウントされた回数に、次のコンテンツでＵＩを通じて入力される受信拒否命令に対する回数を累積してカウントして予め設定された回数に到達しているか否かを判断することがもできる。このように、制御部１３０は、一つのコンテンツまたは複数のコンテンツ内で受信拒否命令が予め設定された回数分だけ入力されたか否かを判断することができる。
【００５６】
図３は、本発明の一実施形態に係るディスプレイ装置の細部構成を説明するための図である。図３に示すように、ディスプレイ装置１００は、受信部１１０と、ディスプレイ部１２０と、制御部１３０と、通信インターフェース部１４０と、ＵＩ処理部１５０と、ユーザインターフェース部１６０および保存部１７０を含む。図３の説明に先立ち、図２と同一符号をもつ構成は、同一機能を具備することから、これらの構成に対する具体的な繰り返し説明は省略する。
【００５７】
受信部１１０は、放送コンテンツを伝送する放送局またはインターネットを用いてコンテンツファイルを伝送するウェブサーバからコンテンツを受信することができる。なお、受信部１１０は、ディスプレイ装置１００内に設けられたり、ディスプレイ装置１００に接続された各種記録媒体再生装置からコンテンツを受信することもできる。
【００５８】
ディスプレイ部１２０は、受信されたコンテンツをディスプレイする。そして、ディスプレイ部１２０は、コンテンツに対応する付加情報を受信するか否かを問い合わせるＵＩ、付加情報を受信してディスプレイするチャネルを選択するためのＵＩおよびサーバ（図示せず）から受信された付加情報等をディスプレイすることができる。
【００５９】
通信インターフェース部１４０は、サーバと通信を行い、コンテンツに対応する付加情報を受信することができる。具体的には、通信インターフェース部１４０は、ネットワークインターフェースカード（図示せず）等を備えてインターネット等を通じてサーバと通信を行い、コンテンツに対応する付加情報を受信することができる。
【００６０】
制御部１３０は、ディスプレイ装置１００の動作全般を制御する。特に、制御部１３０は、ＵＩを通じて付加情報に対する受信命令が入力されると、付加情報を受信してディスプレイ部１２０にディスプレイしてよい。
【００６１】
具体的には、制御部１３０は、付加情報を受信するか否かを問い合わせるＵＩを通じて付加情報に対する受信命令が入力されると、通信インターフェース部１４０を制御して当該コンテンツに対応する付加情報の伝送要求命令をサーバに伝送することができる。例えば、制御部１３０は、ＵＩを通じて付加情報の受信命令が入力されると、対象となるオブジェクトに対する付加情報の伝送をサーバ２００に要求し、サーバ２００から受信された付加情報をディスプレイするように制御することができる。この場合、制御部１３０は、オブジェクトの名称、ディスプレイ時点等に対する情報をサーバ２００に伝送し、付加情報の伝送をサーバ２００に要求することができる。
【００６２】
ただ、それは一実施形態に過ぎず、付加情報はコンテンツとともに受信されてよく、この場合、制御部１３０はＵＩを通じて付加情報の受信命令が入力されると、対象となるオブジェクトに対する付加情報をディスプレイすることができる。
【００６３】
そして、通信インターフェース部１４０を通じてコンテンツに対応する付加情報が受信されると、制御部１３０は受信された付加情報をディスプレイ部１２０にディスプレイすることができる。この場合、制御部１３０は、コンテンツのディスプレイを中断して受信された付加情報のみをディスプレイしたり、コンテンツにＯＳＤ（ＯｎＳｃｒｅｅｎ  Ｄｉｓｐｌａｙ）の形態で受信された付加情報をオーバーラップしてディスプレイするように制御することができる。
【００６４】
ＵＩ処理部１５０は、ディスプレイ部１２０にディスプレイされるコンテンツにオーバーラップされて表示される多様なＵＩを生成することができる。ここで、ＵＩ処理部１５０は、２Ｄまたは３Ｄの形態のＵＩを生成することができる。
【００６５】
特に、ＵＩ処理部１５０は、制御部１３０の制御によってコンテンツに対応する付加情報を受信するか否かを問い合わせるＵＩ、付加情報を受信してディスプレイするチャネルを選択するためのＵＩ等を生成してよい。
【００６６】
なお、ＵＩ処理部１５０は、ユーザ所望の機能をメニューから選択するために、操作パネルやリモートコントローラのような入力装置を操作することにより、ディスプレイ画面上にメインメニューやサブメニュー等をＯＳＤ形態で生成することができる。このようなメニューは、ディスプレイ装置１００で選択することができるオプション項目を含んだり、ディスプレイ装置１００の機能を調整することができる項目を含むことができる。
【００６７】
ユーザインターフェース部１６０は、ディスプレイ装置１００を制御するための多様なユーザ命令を受信する機能を担う。特に、ユーザインターフェース部１６０は、ディスプレイ部１２０にディスプレイされたＵＩを通じてユーザ命令を受信するように実現されてよい。
【００６８】
例えば、ユーザインターフェース部１６０は、付加情報を受信するか否かを問い合わせるＵＩで受信拒否命令または受信命令を選択するユーザ命令およびチャネル選択ＵＩ上で付加情報を受信するための特定チャネルを選択するためのユーザ命令を受信してよい。
【００６９】
このような機能を具備するユーザインターフェース部１６０は、キーボタンやキーパッド等で実現されたり、リモコンのような遠隔制御装置（図示せず）から入力されるユーザ命令を受信するように実現されてよい。なお、ユーザインターフェース部１６０は、タッチセンサ等を含んでディスプレイ部１２０とともにタッチスクリーンの形態で実現されてよい。
【００７０】
保存部１７０は、ディスプレイ装置１００を動作させるために必要な各種プログラム等が保存される保存媒体として、メモリやＨＤＤ（Ｈａｒｄ  Ｄｉｓｋ  Ｄｒｉｖｅ）等で実現可能である。例えば、保存部１７０は、制御部１３０の動作実行のためのプログラムを保存していてよく、制御部１３０の動作実行によるデータを一時的に保存したり、各種参照データを保存することができる。特に、保存部１７０は、付加情報の受信拒否命令が入力されると、制御部１３０の制御によって入力された回数に対する情報を保存することもできる。
【００７１】
一方、上述の実施形態で、制御部１３０は付加情報の受信拒否命令が入力されると、その回数を保存部１７０に保存されるものとして説明したが、それは一実施形態に過ぎない。すなわち、制御部１３０は付加情報の受信拒否命令が入力されると、受信拒否命令が入力された情報をサーバ２００に伝送するように通信インターフェース部１４０を制御することができる。
【００７２】
この場合、サーバ２００は、ディスプレイ装置１００から受信された受信拒否命令が入力された情報をディスプレイ装置１００（仮に、ディスプレイ装置１００のネットワークアドレス）またはディスプレイ装置１００のユーザ別（仮に、ユーザＩＤ）で保存することができる。そして、サーバ２００は、受信拒否命令の回数をカウントして、予め設定された回数に到達すると、付加情報を受信するか否かを問い合わせるＵＩのディスプレイ状態を変更するための要求をディスプレイ装置１００に伝送することができる。この場合、制御部１３０は、ＵＩのディスプレイ状態を変更するための要求命令がサーバ２００から受信されると、その後にディスプレイされるＵＩのディスプレイ状態を変更することができる。それにより、制御部１３０は、ＵＩがディスプレイされないように制御したり、ＵＩの大きさの縮小、ＵＩの透明度の増加等、多様な形態でＵＩのディスプレイ状態を変更してディスプレイすることができる。
【００７３】
図４は、本発明の一実施形態に係るサーバの構成を説明するブロック図である。図４に示すように、サーバ２００は、通信インターフェース部２１０と、保存部２２０および制御部２３０を含む。
【００７４】
通信インターフェース部２１０は、ディスプレイ装置（図１の１００）と通信を行い、コンテンツに対応する付加情報を伝送することができる。具体的には、通信インターフェース部２１０は、ネットワークインターフェースカード（図示せず）等を具備してインターネット等を通じてディスプレイ装置１００と通信を行い、コンテンツに対応する付加情報をディスプレイ装置に伝送することができる。
【００７５】
保存部２２０は、付加情報を保存する。具体的には、保存部２２０は、地上波放送局やケーブル放送局のようなコンテンツ制作会社やコンテンツ提供者またはコンテンツ提供とは別のサービス提供者等から提供された付加情報をデータベース化して保持することができる。ただ、このような機能を具備する保存部２２０は、メモリやＨＤＤ（Ｈａｒｄ  Ｄｉｓｋ  Ｄｒｉｖｅ）等で実現可能である。
【００７６】
なお、保存部２２０は、付加情報の受信拒否命令の回数をディスプレイ装置１００またはディスプレイ装置１００のユーザ別に保存することができる。
【００７７】
制御部２３０は、サーバ２００の動作全般を制御する。特に、制御部２３０は、コンテンツに対応する付加情報をディスプレイ装置に伝送するように通信インターフェース部２１０を制御することができる。具体的には、制御部２３０は、ディスプレイ装置から受信された付加情報の伝送要求命令に従って、伝送要求命令に対応する付加情報を保存部２２０から読み取ってディスプレイ装置に伝送することができる。
【００７８】
なお、制御部２３０は、受信拒否命令に対応する情報がディスプレイ装置１００から受信されると、その回数をカウントして保存するように保存部２２０を制御することができる。この場合、制御部２３０は、受信拒否命令の回数が予め設定された回数に到達すると、付加情報を受信するか否かを問い合わせるＵＩのディスプレイ状態を変更するための要求をディスプレイ装置１００に伝送するように通信インターフェース部２１０を制御することができる。
【００７９】
図５Ａないし図５Ｇは、本発明の一実施形態に係るディスプレイ装置から提供されるＵＩの一例を示す図である。
【００８０】
まず、図５Ａは、本発明の一実施形態に係るチャネル選択ＵＩを示す図である。ディスプレイ装置５００は、特定チャネルを通じて提供されるコンテンツのみに対して付加情報が含まれるか否かを判断して付加情報を受信するか否かを問い合わせるＵＩをディスプレイすることができる。そのために、ディスプレイ装置５００は、図５Ａに示すように、チャネル選択のためのＵＩ（例えば、会話型チャネル選択のためのＵＩ）５１０をディスプレイし、ユーザは特定チャネル（例えば、“１１２−１チャネルのＢＢＣ放送”および“１３２−１チャネルのＭＢＣ放送”）を選択して、選択されたチャネルのみが付加情報のディスプレイされるチャネルに設定されることができる。
【００８１】
一方、図５Ｂないし図５Ｅは、本発明の一実施形態に係る入力される付加情報の受信拒否命令に従って、付加情報を受信するか否かを問い合わせるＵＩの表示形態を変更する例を説明するための図である。
【００８２】
まず、図５Ｂに示すように、ディスプレイ装置５００はコンテンツ５２０をディスプレイする。そして、ディスプレイ装置５００は、コンテンツ５２０を構成するオブジェクトに付加情報が含まれているか否かを判断することができる。この場合、当該オブジェクトが付加情報を含むか否かに対する情報は、コンテンツに含まれているか、サーバから当該オブジェクトが付加情報を含むか否かに対する情報を受信することができる。
【００８３】
判断の結果、コンテンツ５２０を構成するオブジェクトに付加情報が含まれている場合、ディスプレイ装置５００は当該オブジェクトに対応する付加情報を受信するか否かを問い合わせるＵＩをディスプレイすることができる。例えば、図５Ｂに示すように、コンテンツ５２０に含まれた特定商品が付加情報を含む場合、ディスプレイ装置５００は特定商品に対する広告を受信するか否かを問い合わせるＵＩ５３０をディスプレイすることができる。
【００８４】
この場合、ディスプレイ装置５００は、付加情報を含むオブジェクトがディスプレイされる時点、当該オブジェクトがディスプレイされた後に予め設定された時間が経過している時点、または予め設定された時間周期の間に、付加情報を受信するか否かを問い合わせるＵＩをディスプレイすることができる。このように、ディスプレイ装置５００は、予め設定されたイベントが発生する度に、複数回の間付加情報を受信するか否かを問い合わせるＵＩがディスプレイされてよい。
【００８５】
一方、付加情報を受信するか否かを問い合わせるＵＩを通じて付加情報の受信拒否命令が予め設定された回数分だけ入力されると、ディスプレイ装置５００はＵＩの表示形態を変更することができる。
【００８６】
例えば、図５Ｄに示すように、ディスプレイ装置５００は、特定商品に対する広告を受信するか否かを問い合わせるＵＩ５４０を最初ディスプレイされたＵＩ５３０より小さくディスプレイすることができる。
【００８７】
別の実施形態として、図５Ｅに示すように、ディスプレイ装置５００は特定商品に対する広告を受信するか否かを問い合わせるＵＩ５５０を最初ディスプレイされたＵＩ５３０より透明にディスプレイすることができる。
【００８８】
更に別の実施形態として、図５Ｆに示すように、ディスプレイ装置５００はチャネル選択ＵＩ５６０をディスプレイし、ユーザによって現在のチャネルをコンテンツに対する付加情報を提供しないチャネルに選定するように誘導することができる。
【００８９】
更に別の実施形態として、図５Ｇに示すように、ディスプレイ装置５００は予め設定されたイベントが発生しても特定商品に対する広告を受信するか否かを問い合わせるＵＩをディスプレイせずに、コンテンツ５２０のみが引き続きディスプレイされてよい。ここで、予め設定されたイベントとは、特定商品がディスプレイされる時点、特定ｔ商品がディスプレイされた後、予め設定された時間が経過した時点または予め設定された時間周期の間等であってよいことは既に説明している。
【００９０】
このように、本発明の一実施形態に係るディスプレイ装置５００は、ユーザの意図によって付加情報を受信するか否かを問い合わせるＵＩの表示形態を変更することができるようになるため、プッシュ（Ｐｕｓｈ）形態で提供されるＵＩによるユーザのコンテンツ視聴妨害を軽減することができる。
【００９１】
図６は、本発明の一実施形態に係る付加情報提供方法を説明するためのフローチャートである。特に、図６は、コンテンツをディスプレイするディスプレイ装置の付加情報提供方法を説明するためのフローチャートであり、ディスプレイ装置はインターネット等のようなネットワークを通じてサーバに接続されてよい。
【００９２】
まず、コンテンツを受信する（Ｓ６１０）。具体的には、放送コンテンツを伝送する放送局またはインターネットを用いてコンテンツファイルを伝送するウェブサーバからコンテンツを受信することができる。なお、各種記録媒体再生装置からコンテンツを受信することもできる。
【００９３】
その後、受信されたコンテンツをディスプレイする（Ｓ６２０）。
【００９４】
そして、予め設定されたイベントによって、コンテンツに対応する付加情報を受信するか否かを問い合わせるＵＩをディスプレイする（Ｓ６３０）。ここで、付加情報は、コンテンツに対する詳細情報およびコンテンツ関連の広告のうち、少なくともいずれか一方を含んでよい。そして、予め設定されたイベントは、コンテンツがディスプレイされる途中に付加情報を含むオブジェクトがディスプレイされる時点、当該オブジェクトがディスプレイされた後に予め設定された時間が経過した時点または予め設定された時間周期等であってよいが、それに限定されるものではない。すなわち、コンテンツを構成するオブジェクトが付加情報を含むと判断されると、付加情報を受信するか否かを問い合わせるＵＩを多様な時点でディスプレイしてよい。
【００９５】
そして、ＵＩを通じて付加情報の受信拒否命令が入力されると（Ｓ６４０−Ｙ）、それ後に提供されるＵＩを表示形態を変更してディスプレイする（Ｓ６５０）。
【００９６】
具体的には、ＵＩを通じて付加情報の受信拒否命令が予め設定された回数分だけ入力されると、予め設定されたイベントが発生しても、ＵＩがディスプレイされなくもよい。一方、ＵＩを通じて付加情報の受信拒否命令が予め設定された回数分だけ入力されると、予め設定されたイベントに応じて、その後にディスプレイされるＵＩの大きさを縮小したりＵＩの透明度を増加させてディスプレイすることができる。これらの各実施形態に対する説明は上述しているため、繰り返し説明および図示は省略する。
【００９７】
一方、本実施形態において、ユーザ命令に従って、付加情報を受信してディスプレイするためのチャネルを選択するためのチャネル選択ＵＩをディスプレイすることができる。そして、チャネル選択ＵＩを通じて選択されたチャネルが提供するコンテンツに付加情報を受信するか否かを問い合わせるＵＩをディスプレイすることができる。すなわち、チャネル選択ＵＩを通じて選択されたチャネルで提供するコンテンツに対してのみ、当該コンテンツを構成するオブジェクトが付加情報を含むか否かを判断して付加情報を受信するか否かを問い合わせるＵＩをディスプレイすることができる。
【００９８】
この場合、ＵＩを通じて付加情報の受信拒否命令が予め設定された回数分だけ入力されると、チャネル選択ＵＩをディスプレイすることができる。すなわち、現在選局されているチャネルで提供されるコンテンツがユーザに不要な付加情報を提供すると判断し、チャネル選択ＵＩを自動的にディスプレイして、ユーザが別のチャネルを付加情報を受信するためのチャネルに設定するように誘導することができる。
【００９９】
一方、上述の実施形態では、チャネル別に付加情報を受信するか否かを設定するものとして説明したが、それは一例に過ぎない。場合によって、番組別またはコンテンツ別に付加情報を受信するか否かを設定し、設定された番組別またはコンテンツ別に付加情報を受信するか否かを問い合わせるためのＵＩをディスプレイすることもできることは勿論である。
【０１００】
一方、本実施形態において、ＵＩを通じて付加情報に対する受信命令が入力されると、サーバを通じて付加情報を受信してディスプレイすることができる。すなわち、付加情報を受信するか否かを問い合わせるＵＩを通じて付加情報に対する受信命令が入力されると、当該コンテンツに対応する付加情報の伝送要求命令をサーバに伝送し、それに対する応答として付加情報を受信してディスプレイすることができる。この場合、コンテンツのディスプレイ装置を中断して付加情報のみをディスプレイしたり、コンテンツと重畳するように付加情報をディスプレイすることができる。
【０１０１】
一方、上述の本発明の多様な実施形態に係る方法を行うためのプログラムコードは、多様な記録媒体に保存されてよい。
【０１０２】
具体的には、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、ハードディスク、リムーバブルディスク、メモリカード、ＵＳＢメモリ、ＣＤ−ＲＯＭ等のように、端末機で読み取り可能な多様な類型の記録媒体に保存されていてよい。
【０１０３】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１０４】
１００  ディスプレイ装置
１１０  受信部
１２０  ディスプレイ部
１３０  制御部
１４０  通信インターフェース部
１５０  ＵＩ処理部
１６０  ユーザインターフェース部
１７０  保存部
２００  サーバ
２１０  通信インターフェース部
２２０  保存部
２３０  制御部
５００  ディスプレイ装置
【図１】
2013156636.tif 000003
【図２】
2013156636.tif 000004
【図３】
2013156636.tif 000005
【図４】
2013156636.tif 000006
【図５Ａ】
2013156636.tif 000007
【図５Ｂ】
2013156636.tif 000008
【図５Ｃ】
2013156636.tif 000009
【図５Ｄ】
2013156636.tif 000010
【図５Ｅ】
2013156636.tif 000011
【図５Ｆ】
2013156636.tif 000012
【図５Ｇ】
2013156636.tif 000013
【図６】
2013156636.tif 000014